(57)【特許請求の範囲】
【請求項１】
有価証券に印刷され且つ多数のラインから成るセキュリティ・デザインを電子的手段の支援により生成する方法であって、
（ａ）平行する真っ直ぐなラインから成る均一な背景を、２本の隣合うラインの長手方向の中心軸間の距離が当該２本のライン間の間隔ｄ０として一定となるように且つ各々のラインのストロークの幅ｌ０も一定となるようにすることで一定の比率ｒ０＝ｌ０／ｄ０を決定するように、生成する段階と、
（ｂ）そのパラメータが予め選択されている変調関数に従って前記ライン間の間隔ｄ０を変調することにより前記背景を修正する段階と、
（ｃ）或るラインのストロークの幅ｌｎの、当該ラインの次のラインとの間の間隔ｄｎに対する比率が一定の比率ｌｎ／ｄｎ＝ｒ０となるように前記ラインのストロークの幅を修正することにより、前記背景を更に修正する段階と、
を具備するセキュリティ・デザインを生成する方法。
【請求項２】
前記真っ直ぐなラインの形状を、各々のラインのストロークの幅が前記（ｃ）の段階で得られた幅に等しく保たれたまま変形する段階を、さらに具備する請求項１に記載の方法。
【請求項３】
前記（ｂ）と（ｃ）との段階により修正された前記背景の前記真っ直ぐなラインを、部分的に又は全体的に角度αだけ回転させる段階を、さらに具備する請求項１に記載の方法。
【請求項４】
前記（ｂ）と（ｃ）との段階により修正された前記背景の一部を修正して該背景上に像を形成する段階を、さらに具備する請求項１に記載の方法。
【請求項５】
前記像の範囲を画定する輪郭の内側にある前記ラインのセグメントを角度αだけ回転させて、前記背景上に前記像を形成する請求項４に記載の方法。
【請求項６】
前記ラインの連続性を絶つことによって前記像の形状に応じて該ラインを変調して、くっきりと浮かび出るレリーフのように見える状態を生み出すことにより、前記背景上に前記像を形成する請求項４に記載の方法。
【請求項７】
前記ストロークの幅を元の像の階調レベルの関数として各々のラインに沿って修正することにより、前記背景上に前記像を形成する請求項４に記載の方法。
【請求項８】
前記ストロークの幅をスキャンされた元のディジタル画像の階調レベルの関数として各々のラインに沿って修正することにより、前記背景上に前記像を形成する請求項４に記載の方法。
【請求項９】
前記像の形成に寄与しない各ライン・セグメントは、前記比率ｒ０に従った幅及び間隔を有する、請求項４〜８のいずれか一項に記載の方法。
【請求項１０】
請求項１〜９のいずれか一項に記載の方法に従って生成された少なくとも１つのセキュリティ・デザインを備えた有価証券。
【請求項１１】
請求項１〜９のいずれか一項に記載の方法に従って生成された少なくとも１つのセキュリティ・デザインを備えた有価証券の印刷用の印刷版。
【発明の詳細な説明】
【０００１】
【発明の属する技術分野】
本発明は、特に流通紙幣等の有価証券に印刷されるよう意図され且つ多数のラインから成るセキュリティ・デザインを電子的手段の支援により生成する方法、並びに、その方法を実施することにより生成された少なくとも１つのデザインを備えた有価証券及びその印刷用の印刷版に関する。
【０００２】
【従来の技術】
特に流通紙幣、株、郵便切手等の有価証券を再生することを困難にし或いは不可能にさえする目的から、セキュリティ要素をその証券に組み入れることが行われている。そのために、特別な透かし模様の入った紙を使用したり、金属又は他のセキュリティ要素を紙に組み込んだり、それを偽造することによって期待される利益を得るには余りにも費用がかかり過ぎるデザインを創作したり、再生するのが困難な色及び色の濃淡を使用したりする様々な手段に訴えることが提案されている。
【０００３】
フォト・コピー機及びスキャナに関連した技術の進歩により、かかる手段の幾つかは、偽造者の悪意のある目的を妨害するにはもはや十分ではなくなってきている。高性能フォト・コピー機が出現して以来、そのような有価証券の製造業者は、例えばカラー・フォト・コピー機で書類をディジタル的にコピーしている間にモアレ縞を形成するゾーンを作り出すことに努力を集中してきた。このモアレ縞は、元の像を歪めて、これがコピーであることを指示する。
【０００４】
【発明が解決しようとする課題】
モアレ縞は、機械のサンプリング点の大きさの距離だけ間隔をおいて配置された平行する又は平行しないラインがサンプリング軸の一つに垂直に位置合わせされた時に、現れる。その場合、情報の読み取りは妨げられ、それによって元の像は歪められ、特に、色相及び色の不均一な模様が見られる。このようなモアレ縞の出現は、再生のために使用する装置の特性及び設定状態に依存するため、予測するのが困難である。
【０００５】
欧州特許出願公開第２０４，５５２号では、平行しないライン・ストロークによって形成された領域をもつセキュリティ・デザインが記載されており、ここにそのライン・ストロークの幅及び／又は間隔は変化している。
欧州特許出願公開第３５３，９７４号では、平行するライン・ストロークによって形成された領域をもつ有価証券のセキュリティ・ゾーンが記載されており、ここにそのライン・ストロークの一部分は、隠れた像を形成するために、その幅及び／又は形状に関して歪められている。
【０００６】
特別なセキュリティ・デザインを選択することにより、モアレ縞を出現させることは可能である。そこで、本発明の目的は、ディジタル的にコピーしている間にモアレ縞を形成するデザインを生成することができる方法を提供することにある。
【０００７】
【課題を解決するための手段】
本発明によれば、特に流通紙幣等の有価証券に印刷されるよう意図され且つ多数のラインから成るセキュリティ・デザインを電子的手段の支援により生成する方法であって、
（ａ）平行する真っ直ぐなラインから成る均一な背景を、２本の隣合うラインの長手方向の中心軸間の距離が当該２本のライン間の間隔ｄ0 として一定となるように且つ各々のライン・ストロークの幅ｌ0 も一定となるようにすることで一定の比率ｒ0 ＝ｌ0 ／ｄ0 を決定するように、生成する段階と、
（ｂ）そのパラメータが予め選択されている変調関数に従って前記ライン間の間隔ｄ0 を変調することにより前記背景を修正する段階と、
（ｃ）或るラインのストロークの幅ｌn の、当該ラインの次のラインとの間の間隔ｄn に対する比率が一定の比率ｌn ／ｄn ＝ｒ0 となるように前記ライン・ストロークの幅を修正する段階と、
を具備するセキュリティ・デザインを生成する方法が提供される。
【０００８】
本発明に係る方法の利点は、それに対して保護する必要のあるフォト・コピー機又はスキャナに関して各ラインの分布の修正がパラメータ化され得ることであり、また、或るラインのストロークの幅の、２本の隣合うライン間の間隔に対する比率が一定のままであるという事実に基づいて、かかる修正を行っても、肉眼で見た時の元の像の外観が歪められないことである。
【０００９】
次いで、そのようなデザインを組み込んで製造されるべき有価証券は、異なるタイプの幾つかの機械に対して保護され得るように、異なるパラメータに対応する幾つかのセキュリティ・デザインを備えることができる。
本発明の重要な利点は、幾何学的又は芸術的な像を有するセキュリティ・デザインの創作が可能になるという事実である。これに対し、今までは、このタイプのセキュリティ・デザインは幾何学的又は芸術的な像を有していなかった。
【００１０】
デザインの創作に関して、種々の実施態様が提案され得る。真っ直ぐなラインは、他の形状のライン、例えば正弦波形状、同心円形状、閉塞された或いは開放された曲線形状等のラインに変形される。各実施態様において、各々のラインのストロークの幅は、上述した（ｃ）の段階で得られた値に等しくなるように、変形される。
【００１１】
本発明の他の実施態様によれば、背景を構成する各ラインは、部分的に、又は全体的に、或いは像の範囲を画定する輪郭線の内側に存在するラインのセグメントのみが、角度αだけ回転させられる。
また、本発明の他の実施態様によれば、或る像を形成する場合に、前記ラインは、当該像の範囲を画定する輪郭線の内側にカット処理される。
【００１２】
また、本発明の他の実施態様によれば、前記ラインによって作られる背景の上に像を形成する場合、つまり像をレリーフ状態（くっきりと浮かび出るような状態）で形成する場合に、前記ラインは、当該像の形状（輪郭線）に応じて変調され、それによってレリーフ効果が、知られている手段、例えばラインの連続性を絶つことによって作り出される。
【００１３】
また、本発明の他の実施態様によれば、幾何学的な像を創作する場合に、前記ストロークの幅は、元の幾何学的な像の階調レベルの関数として各々のラインに沿って修正される。
また、本発明の他の実施態様によれば、芸術的な像を創作する場合に、前記ストロークの幅は、スキャナで得られた元のディジタル画像の関数として修正される。
【００１４】
また、本発明の他の実施態様によれば、像の形成に寄与しない各ライン・セグメントは、上述した（ｃ）の段階で規定された比率ｒ0 に従った幅及び間隔を保持する。
また、本発明の他の形態によれば、上述した本発明の方法に従って生成された少なくとも１つのセキュリティ・デザインを備えた有価証券が提供される。
【００１５】
さらに、本発明の他の形態によれば、上述した本発明の方法に従って生成された少なくとも１つのセキュリティ・デザインを備えた有価証券の印刷用の印刷版が提供される。
本発明は、種々の実施形態を示した添付図面を参照しながら、以下詳細に記述されるであろう。
【００１６】
【発明の実施の形態】
図１（ａ）には、２本のラインが拡大されて示されており、各ライン・ストロークの幅はｌ0 で、各ラインの長手方向の中心軸間の距離はｄ0 に等しい。
図１（ｂ）には、平行する真っ直ぐなライン網が示される。２本の隣合うライン間の間隔は一定でｄ0 に等しく、また各ライン全体に沿ったストロークの幅はｌ0 に等しく、両者の比率ｒ0 ＝ｌ0 ／ｄ0 は一定となっている。
【００１７】
次いで、２本のライン間の間隔は、隣合う２本のライン間のギャップｔn+1 がｄn ＝ｄ0 ＋（ｎ・δ）、但しδは当該間隔のリニア変調のためのパラメータである、となるように変調される。このルールを適用することにより、図１（ｃ）に示されるようなライン網が得られる。
次いで、或るラインのストロークの幅の、当該ラインの次のラインとの間の間隔に対する比率が上記一定の比率ｒ0 の値に等しくなる条件に従うために、当該ストロークの幅ｌn は、比率ｌn ／ｄn が常にｒ0 に等しくなるように、且つ、ｌn ＝ｌ0 ＋（ｎ・λ）、但しλは当該ストロークの幅を変調するためのパラメータである、となるように修正される。この場合、図２に示されるような形状を持つライン網が得られる。
【００１８】
図２のライン網のような背景に対して、或る種のコピー機又はスキャナではモアレ効果を除去できないであろう。ｌ0 、δ、λ等のパラメータは、機械の特性に応じて適宜修正されてもよいことは明らかである。かかる修正によって得られる利点は、ライン間の間隔及び各ストロークの幅が様々に変化していることにより、肉眼で像を見た時にそれが均一に見えることである。しかし、再生用の機械の特性を或る範囲に亘ってたとえ修正したとしても、再生中にモアレ縞の形成を避けることは不可能である。間隔及び幅を変調するためのパラメータは、再生用の機械に関して適宜選択される。
【００１９】
図３〜図５には他の実施形態に係るライン網の修正例が示される。ここに図３は図１（ｂ）と同じである。図４において、ライン間の間隔は、以下のルール：ｄn ＝ｄ0 ＋δ（１＋sin(２πｎ／Ｎ））に従って変調される。この場合、Ｎは変調期間である。本実施形態では、２本の隣合うライン間の間隔が図１（ｃ）に示されるようにリニアではなく正弦波形状に変化する背景が得られる。さらに、ストロークの幅の間隔に対する一定の比率の条件に従うために、ストロークの幅も修正される。これは、以下のルール：ｌn ＝ｌ0 ＋λ（１＋ sin２πｎ／Ｎ）に従って行われる。この場合、図５に示されるような形状を持つライン網が得られる。
【００２０】
図５のライン網を得た後で行う更なるステップは、例えば図２又は図５で得られたストロークの幅を維持しながら各ラインの形状を修正することである。
従って、図５と同じである図６（ａ）からは、図６（ｂ）に示されるように、正弦波形状に修正されたラインが得られる。
同様にして、図５と同じである図７（ａ）からは、図７（ｂ）に示されるように、図７（ａ）のストロークの幅を維持しながら同心円状に閉塞された曲線に変形されたラインが得られる。
【００２１】
また、図５と同じである図８（ａ）からは、図８（ｂ）に示されるように、ラインの一部に或る像（図示の例では翼のある馬）がレリーフ状態で形成されたものが得られる。この実施形態では、先ず、各ラインを例えば４５°の角度だけ回転させ、次いで、ラインを部分的に絶つことによってレリーフ効果を作り出すように当該像の輪郭線を形成する。
【００２２】
また、幾何学的な像を形成する場合に、図５と同じである図９（ａ）からは、図９（ｂ）に示されるように、元の幾何学的な像の階調レベルの関数として各ストロークの幅が修正されたものが得られる。
また、芸術的な像を創作する場合に、図５と同じである図１０（ａ）からは、図１０（ｂ）に示されるように、スキャナによって予めディジタル化された画像に基づいて各ストロークの幅が修正されたものが得られる。
【００２３】
なお、上述した一定の比率ｒ0 は、像の形成に寄与しない各ラインのセグメントに対して保持されている。
また、本発明は、上述した方法の一つに従って生成された少なくとも１つのセキュリティ・デザインを備えた有価証券に適用され、また、かかる有価証券の印刷用の印刷版にも適用される。
【００２４】
これらのセキュリティ・デザインは、例えばオフセット等の技術的なプロセスを用いて印刷することが可能である。
以上、本発明は幾つかの実施形態を用いて説明したが、本発明の特徴事項から逸脱することなく他の実施形態又は変形例が可能であることは当業者にとって明らかであろう。
【００２５】
【発明の効果】
以上説明したように、本発明に係る方法によれば、ディジタル的にコピーしている間にモアレ縞を形成するデザインを生成することができる。
【図面の簡単な説明】
【図１】本発明の一実施形態に係る方法におけるライン網の修正の説明図である。
【図２】図１の補足説明図である。
【図３】本発明の他の実施形態に係る方法におけるライン網の修正の説明図である。
【図４】図３の補足説明図である。
【図５】図３の補足説明図である。
【図６】各ラインの形状の第１の修正例の説明図である。
【図７】各ラインの形状の第２の修正例の説明図である。
【図８】各ラインの形状の第３の修正例の説明図である。
【図９】各ラインの形状の第４の修正例の説明図である。
【図１０】各ラインの形状の第５の修正例の説明図である。
【符号の説明】
ｌ0 …ライン（ライン・ストローク）の幅
ｄ0 …隣合うライン間の間隔
【図１】
0003996218.tif 000002
【図２】
0003996218.tif 000003
【図３】
0003996218.tif 000004
【図４】
0003996218.tif 000005
【図５】
0003996218.tif 000006
【図６】
0003996218.tif 000007
【図７】
0003996218.tif 000008
【図８】
0003996218.tif 000009
【図９】
0003996218.tif 000010
【図１０】
0003996218.tif 000011